(57)【要約】【課題】点検時のユーザ利便性向上と消費電力抑制とを両立する表示装置を提供することである。【解決手段】表示部１１０は、開閉可能な扉部１７に格納されたろ過器１０に適用される。表示部１１０は、扉部１７に設けられた開口部１８を通じて、扉部１７の閉状態時においても外部からユーザが視認可能に配置される。表示部１１０は、ユーザが入力した点灯予約時刻が到来すると自動的に点灯するように構成される。点灯予約時刻の到来に応じた表示部１１０の点灯時間は、点灯予約時刻の入力時間刻みよりも長く設定される。【選択図】図１
2016161804.tif 000002
【特許請求の範囲】
【請求項１】
開閉可能な扉部に格納された機器の表示装置であって、
前記扉部に設けられた開口部を通じて、前記扉部の閉状態においても扉外部より視認可能に配置された表示部と、
前記表示部における点灯および消灯を制御するための制御部と、
前記表示部の点灯予約時刻を入力するための時刻入力部とを備え、
前記時刻入力部は、前記扉部が開状態であるときに一定時間刻みで前記点灯予約時刻を入力できるように構成され、
制御部は、入力された前記点灯予約時刻が到来すると、第１の所定時間にわたって前記表示部を点灯させるとともに、点灯開始から前記第１の所定時間が経過すると前記表示部を消灯し、
前記第１の所定時間は、前記一定時間よりも長い、表示装置。
【請求項２】
前記制御部は、前記扉部の開放を伴う前記機器へのユーザ操作に応じて、当該ユーザ操作から第２の所定時間にわたって前記表示部を点灯させるとともに、点灯開始から前記第２の所定時間が経過すると前記表示部を消灯し、
前記第２の所定時間は、前記第１の所定時間よりも短い、請求項１記載の表示装置。
【請求項３】
前記機器は、ろ過器である、請求項１または２に記載の表示装置。
【発明の詳細な説明】
【技術分野】
【０００１】
この発明は、表示装置に関し、より特定的には、定期的な点検対象とされる機器に適用される表示装置に関する。
【背景技術】
【０００２】
表示装置の一態様として、常時の表示を非実行とすることによって消費電力の削減を図るものが公知である。たとえば、特許第４０８７８３４号公報（特許文献１）には、給湯器のリモコン装置において、運転状況表示の点灯を、特定スイッチの操作から所定時間が経過するまでの期間に限定し、それ以外の期間では、当該表示を消灯状態とすることが記載されている。
【０００３】
また、特開平４−１９５５１０号公報（特許文献２）には、コンピュータシステムに適した省電力制御方式として、表示を含む通常モードでの動作を停止する省電力モードを適用すること、および、データ入力装置へのデータ入力に応答して省電力モードを解除することが記載されている。
【先行技術文献】
【特許文献】
【０００４】
【特許文献１】特許第４０８７８３４号公報
【特許文献２】特開平４−１９５５１０号公報
【発明の概要】
【発明が解決しようとする課題】
【０００５】
特許文献１および２では、表示の非点灯状態および省電力モードから、表示を点灯する状態とするためには、スイッチ操作やデータ入力等のユーザ操作が必要となる。しかしながら、表示装置の設置態様によっては、当該ユーザ操作がユーザにとって手間となることが懸念される。
【０００６】
特に、定期的な点検対象とされる機器に設けられた表示装置では、当該表示装置による表示は点検時のみとすることが消費電力の面から好ましく、さらに、ユーザ利便性の面からは、点検時にユーザ操作を要することなく自動的に表示状態とされることが好ましい。
【０００７】
この発明はこのような問題点を解決するためになされたものであって、この発明の目的は、点検時のユーザ利便性向上と消費電力抑制とを両立する表示装置を提供することである。
【課題を解決するための手段】
【０００８】
この発明のある局面では、表示装置は、開閉可能の扉部に格納された機器の表示装置であって、表示部と、制御部と、入力部とを備える。表示部は、扉部に設けられた開口部を通じて、当該扉部の閉状態においても扉外部より視認可能に配置される。制御部は、表示部における点灯および消灯を制御する。時刻入力部は、扉部が開状態であるときに表示部の点灯予約時刻を一定時間刻みで入力できるように構成される。制御部は、入力された点灯予約時刻が到来すると、第１の所定時間にわたって表示部を点灯させるとともに、点灯開始から第１の所定時間が経過すると表示部を消灯する。そして、第１の所定時間は、一定時間よりも長い。
【０００９】
上記表示装置によれば、ユーザは、筐体の扉部が閉状態であっても、点灯予約時刻の到来に応じて自動的に点灯された表示部を外部から視認することができる。したがって、扉部を操作する手間を要することなく、ユーザは機器の運転状態を点検することができる。特に、点灯予約時刻の到来に応じた点灯時間（第１の所定時間）を、点灯予約時刻の入力時間刻み（一定時間）よりも長く設定することによって、点灯時間の計時誤差に起因して、点灯予約時刻に合わせてユーザが点検に訪れた際に表示部が消灯状態となっていることを効果的に防止できる。この結果、限られたタイミングで表示内容が視認される表示装置において、点検時のユーザ利便性向上と消費電力抑制とを両立することができる。
【００１０】
好ましくは、制御部は、さらに、扉部の開放を伴う機器へのユーザ操作に応じて、当該ユーザ操作から第２の所定時間にわたって表示部を点灯させるとともに、点灯開始から第２の所定時間が経過すると表示部を消灯する。そして、第２の所定時間は、第１の所定時間よりも短い。
【００１１】
このように構成すると、扉部の開放を伴う機器へのユーザ操作に応答して表示部を点灯することができるとともに、ユーザ操作に応じた点灯時間（第２の所定時間）を、点灯予約時刻の到来に応じた点灯時間（第１の所定時間）よりも短く設定することができる。この結果、表示部での表示による消費電力を効果的に低減することができる。
【００１２】
好ましくは、表示装置は、ろ過器に適用される。
このようにすると、長時間連続運転されることが一般的であるため、１日に１回ないし２回などの限られたタイミングで監視されるろ過器に適用される表示装置について、点検時のユーザ利便性向上と消費電力抑制とを両立するように、監視のための点灯を制御することができる。
【発明の効果】
【００１３】
この発明によれば、点検時のユーザ利便性向上と消費電力抑制とが両立された表示装置を提供することができる。
【図面の簡単な説明】
【００１４】
【図１】本発明の実施の形態に従う表示装置の適用例として示されるろ過器の外観図である。
【図２】図１における扉部の開放時におけるＩＩ方向からの正面図である。
【図３】リモコン装置の外観図（蓋閉状態）である。
【図４】リモコン装置の外観図（蓋開状態）である。
【図５】表示部１１０における表示制御のための構成を概略的に示す機能ブロック図である。
【図６】ユーザによる点灯予約時刻の入力に対する表示制御を説明するための概念図である。
【図７】図６に示した表示制御を行なうためのマイクロコンピュータによる制御処理を説明するフローチャートである。
【図８】ユーザによるリモコン装置の操作に対する表示制御を説明するための概念図である。
【図９】図８に示した表示制御を行なうためのマイクロコンピュータによる制御処理を説明するフローチャートである。
【発明を実施するための形態】
【００１５】
以下に、本発明の実施の形態について図面を参照して詳細に説明する。なお、以下では、図中の同一または相当部分には同一符号を付して、その説明は原則的に繰返さないものとする。
【００１６】
図１は、本発明の実施の形態に従う表示装置の適用例として示されるろ過器１０の外観図である。
【００１７】
図１を参照して、ろ過器１０は、業務用浴場等における浴槽水の循環システムに適用される。ろ過器１０は、配管５０〜５６によって、浴槽等の外部機器と接続されている。配管５０〜５６は、熱交換器（図示せず）との間の出口配管５０および入口配管５１と、浴槽との間の吸込配管５２および吐出配管５３と、逆洗排水管５４と、ドレン排出配管５５と、殺菌液注入配管（ホース）５６とを含む。
【００１８】
ろ過器１０は、吸込配管５２から入力された浴槽水から異物（塵や髪の毛等）を除去して、吐出配管５３によって浴槽内へ戻すように構成される。さらに、ろ過器１０は、出口配管５０および入口配管５１によって、循環水を熱交換器による加熱後に浴槽へ供給することができる。また、殺菌液注入配管５６を経由して、塩素等を含む殺菌液を注入することで、循環浴槽水での微生物等の繁殖を防止できる。さらに、逆洗排水管５４を用いることにより、ろ過器１０の内部を洗浄した際の排水を、浴槽内へ循環させることなく排出できる。
【００１９】
図１に示されるように、ろ過器１０は、筐体１５内に格納される。筐体１５には、前方に扉部１７が設けられる。扉部１７は、左右方向に、いわゆる観音開きの態様で開放可能に構成される。
【００２０】
図２には、扉部１７の開放時における図１中のＩＩ方向からの正面図が示される。
図２を参照して、筐体１５の内部には、ろ過器１０の構成要素が格納されている。代表的な構成要素として、たとえば、ろ過ポンプ２１、ろ過容器２２およびフロントパネル２３、ヘアーキャッチャー２４および塩素濃度制御ユニット２５が、筐体１５の内部に格納されている。
【００２１】
ろ過ポンプ２１が作動することによって、浴槽水が、吸込配管５２(図１）から吸入されて、ろ過容器２２およびヘアーキャッチャー２４を経由する。これにより、循環する浴槽水から異物が除去される。異物が除去された浴槽水は、吐出配管５３（図１）から浴槽へ戻される。
【００２２】
この際に、図示しない流路切換弁によって、異物除去後の浴槽水が出口配管５０（図１）を経由した熱交換器の通過後に、吐出配管５３（図１）から浴槽へ戻るように流路を制御することによって、いわゆる、加熱追焚機能を持たせることができる。
【００２３】
塩素濃度制御ユニット２５は、殺菌液注入配管（ホース）５６（図１）からの殺菌液の循環水への混入量を制御する。
【００２４】
フロントパネル２３には、ろ過器１０のリモートコントロール装置（以下、リモコン装置）１００が設けられる。リモコン装置１００は、ろ過器１０の動作を制御するためのユーザ操作を受付けるように構成される。
【００２５】
リモコン装置１００は、表示部１１０を有する。表示部１１０は、たとえば、液晶のドットマトリックスによって構成されている。表示部１１０は、後程説明するように、リモコン装置１００に格納されたマイクロコンピュータからの指示に従った画像や文字・数字を表示するように構成されている。
【００２６】
再び図１を参照して、筐体１５の扉部１７には、開口部１８が設けられる。開口部１８は、扉部１７を閉状態にしたときに、開口部１８を通じて、表示部１１０が扉部１７の外部からユーザによって視認可能な位置に設けられている。したがって、扉部１７が閉状態のままであっても、ユーザは、表示部１１０の表示内容を、開口部１８を通じて外部から視認することが可能である。
【００２７】
図３および図４には、リモコン装置１００の外観図が示される。
図３を参照して、リモコン装置１００には、表示部１１０と、蓋部１２０と、複数の操作スイッチ１３０とが設けられる。蓋部１２０は、回動動作によって下部方向へ開閉可能に構成されている。図３において、蓋部１２０は閉状態である。
【００２８】
図４には、図３に示した蓋部１２０を開状態とした場合の外観図が示される。
図４に示されたように、蓋部１２０によって覆われた領域にも複数の操作スイッチ１３２が設けられている。
【００２９】
図３および図４に示されるように、操作スイッチ１３０は、電源を入り切りするためのスイッチ、ろ過器の運転（タイマ運転／連続運転）を指示するためのスイッチ、予約確認を表示するためのスイッチおよび、時計合わせを指示するスイッチを含む。
【００３０】
また、蓋部１２０に格納された操作スイッチ１３２は、ろ過器１０の運転状態を指定または設定したり、温度指令や時刻指令を入力するためのスイッチ群を含む。
【００３１】
表示部１１０は、単色表示または多色表示可能に構成されている。図３および図４には、表示部１１０について、ろ過器１０の状態（たとえば運転状態）等を表示するときの、点灯時の表示例が示されている。たとえば、背景色（非点灯色）上に、表示すべき運転情報に従ったドット状のエリアを点灯状態に制御することによって、ユーザに対して運転情報を表示することができる。
【００３２】
図３の表示例では、「ろ過」運転中であることを示す文字情報、現在の湯温や時刻を示す文字情報、ならびに、指定された運転時間（図中の例では、午後５時〜午前２時）を示すイメージ情報が表示される。これらの情報によって、ろ過器１０の運転状態を表示することができる。
【００３３】
また、図４の表示例のように、図３の表示に加えて、ヘアーキャッチャー２４の点検を促すような文字情報を、ろ過器１０の運転状態に基づいて、表示部１１０に表示することも可能である。あるいは、表示部１１０には、図３および図４とは異なる情報を表示することも可能である。たとえば、「低水位」であることを報知する文字情報を、表示部１１０に表示することも可能である。
【００３４】
一方、表示部１１０については、消灯することによって、表示に要する消費電力を削減することができる。消灯時（非点灯時）には、表示部１１０への電力供給が停止される。
【００３５】
ろ過器１０は、浴槽水の循環運転等のために、長時間連続運転されることが一般的である。したがって、ろ過器１０の動作監視についても、常時実行されるのではなく、監視員による点検業務の一環等として、１日に１回ないし２回等の限られたタイミングで実行されることが一般的である。
【００３６】
したがって、表示部１１０についても、監視員による点検時のみ点灯する一方で、その他の時間には消灯することによって、消費電力の削減を図ることが好ましい。一方、ユーザが操作スイッチ１３０および／または１３２を操作した場合には、操作に応答する情報を表示するために、表示部１１０を点灯状態とすることが必要である。このように、表示部１１０における表示については、点灯および非点灯の切換え、ならびに、点灯時における表示内容を制御することが必要である。
【００３７】
図５は、表示部１１０における表示制御のための構成を概略的に示す機能ブロック図である。
【００３８】
図５を参照して、マイクロコンピュータ１０１は、リモコン装置１００に内蔵される。さらに、リモコン装置１００には、現在時刻および一定タイミングからの経過時間を計測するタイマー機能を有する計時部１０２が内蔵されている。
【００３９】
マイクロコンピュータ１０１は、計時部１０２からの情報により、現在時刻および経過時間の情報を得ることができる。なお、図５の例では、計時部１０２について、マイクロコンピュータ１０１とは別機能として記載しているが、マイクロコンピュータ１０１の機能によって計時部１０２を構成することも可能である。
【００４０】
マイクロコンピュータ１０１には、図３および図４に示された操作スイッチ１３０，１３２へのユーザ操作を検知する電気信号が入力される。たとえば、ユーザによるスイッチ押圧操作に応じて生成されたパルス信号が、マイクロコンピュータ１０１の所定ポート（図示せず）に入力される。マイクロコンピュータ１０１は、操作スイッチ１３０，１３２へのユーザ入力に応じて、ろ過器１０の動作を制御する。
【００４１】
さらに、リモコン装置１００には、表示部１１０における点灯時刻予約部１５０が設けられる。点灯時刻予約部１５０は、表示部１１０を消灯状態から点灯状態に変化させる時刻（点灯予約時刻）を、ユーザが入力するために設けられる。たとえば、図３における、操作スイッチ１３０，１３２のうちの一部を用いて点灯時刻予約部１５０を構成することができる。したがって、点灯時刻予約部１５０は、扉部１７が開状態であるときに点灯予約時刻を入力することができるように構成される。すなわち、点灯時刻予約部１５０は「時刻入力部」に対応する。
【００４２】
基本的には液晶マトリックスで構成される表示部１１０の表示内容は、液晶ドライバ１０５が各液晶画素に対して駆動電圧を印加することによって制御される。液晶ドライバ１０５は、マイクロコンピュータ１０１からの制御指令に従って、各液晶画素の駆動電圧を制御する。マイクロコンピュータ１０１は、表示部１１０を点灯および消灯のいずれかに設定するための制御指令と、点灯時における表示部１１０での画面表示内容（画像および／または文字・数字）を指示する制御指令とを液晶ドライバ１０５へ送出する。
【００４３】
これにより、マイクロコンピュータ１０１によって、表示部１１０の点灯および非点灯を制御するとともに、点灯時において、表示すべき運転情報に応じた画像および／または文字・数字を、表示部１１０に表示することができる。すなわち、マイクロコンピュータ１０１は「制御部」の一例に対応する。
【００４４】
図６は、ユーザによる点灯予約時刻の入力に対する表示制御を説明するための概念図である。
【００４５】
図６を参照して、図５に示した点灯時刻予約部１５０に対する点灯予約時刻の入力は、一定時間Ｔ１刻みで入力可能である。たとえばＴ１は、３０分である。図６の例では、点灯時刻予約部１５０へのユーザ入力によって、時刻ｔａが点灯予約時刻として指定される。
【００４６】
このとき、マイクロコンピュータ１０１は、計時部１０２から取得した現在時刻に基づき、時刻ｔａの到来までは、表示部１１０を消灯する。すなわち、時刻ｔａまでは、表示部１１０による表示はオフされている。そして、マイクロコンピュータ１０１は、時刻ｔａが到来すると、表示部１１０を点灯する。これにより、表示部１１０により、ろ過器１０の動作監視のための情報、具体的には、ろ過器１０の運転状態に関連する情報の表示がオンされる。
【００４７】
これにより、ユーザ（監視員）は、扉部１７が閉状態であっても、表示部１１０の視認によって、ろ過器１０の運転状態を点検することができる。なお、点灯予約時刻の到来に応じた表示内容は、操作スイッチ１３２への入力によって、ユーザが任意に事前設定および切換できる。
【００４８】
マイクロコンピュータ１０１が時刻ｔａの到来により表示部１１０を点灯すると、計時部１０２により、点灯期間を計時するタイマーが再起動される。そして、タイマーによる計時時間が所定時間Ｔ２に達するまでの間、マイクロコンピュータ１０１は、表示部１１０を点灯状態に維持する。すなわち、所定時間Ｔ２は「第１の所定時間」に対応する。
【００４９】
そして、計時時間が所定時間Ｔ２に達すると、マイクロコンピュータ１０１は、表示部１１０を消灯する。これにより、表示部１１０は一面が非点灯色とされて、電力消費がカットされる。表示部１１０を点灯させる所定時間Ｔ２は、点灯予約時刻の入力時間刻みである一定時間Ｔ１よりも長く設定される。
【００５０】
点灯予約時刻については複数個入力することも可能である。たとえば、時刻ｔａと、ｔａから一定時間Ｔ１経過後の時刻ｔｂとの両方が、点灯予約時刻として入力された場合には、点灯が開始された時刻ｔａからＴ２が経過する前に、時刻ｔｂが到来する。
【００５１】
このため、時刻ｔａからＴ２が経過するまでの時刻ｔａ〜ｔｂ間にわたって、表示部１１０は確実に点灯状態とされる。さらに、時刻ｔｂの到来時点から、点灯期間を計時するタイマーが再起動される。したがって、図６中に点線で示されるように、表示部１１０は、時刻ｔｂから所定時間Ｔ２が経過した時刻ｔｃまで点灯し、時刻ｔｃ以降では消灯される。
【００５２】
このように、Ｔ２＞Ｔ１とすることによって、計時部１０２に計時誤差が生じても、点灯予約時刻に合わせてユーザが点検に訪れた際に、表示部１１０が消灯状態となっていることを効果的に防止できる。
【００５３】
図７は、図６に示した表示制御を行なうためのマイクロコンピュータ１０１による制御処理を説明するフローチャートである。
【００５４】
図７を参照して、マイクロコンピュータ１０１は、ステップＳ１００により、点灯時刻予約部１５０へのユーザ入力によって点灯予約時刻が設定されているかどうかを判定する。点灯予約時刻が設定されていない場合（Ｓ１００のＮＯ判定時）には、マイクロコンピュータ１０１は、ステップＳ１５０に処理を進めて、表示部１１０を消灯して表示をオフする。
【００５５】
これに対して、点灯予約時刻が設定されている場合（Ｓ１００のＹＥＳ判定時）には、マイクロコンピュータ１０１は、ステップＳ１１０により、計時部１０２からの情報に基づいて現在時刻および点灯予約時刻を比較することによって、点灯予約時刻が到来しているかどうかを判定する。マイクロコンピュータ１０１は、点灯予約時刻の到来まで（図６における時刻ｔａ以前）では、ステップＳ１００がＮＯ判定とされるため、処理をステップＳ１５０に進める。これにより、表示部１１０は消灯状態に維持される。
【００５６】
マイクロコンピュータ１０１は、点灯予約時刻が到来すると（Ｓ１１０のＹＥＳ判定時）、すなわち、図６における時刻ｔａの到来時には、ステップＳ１２０に処理を進めて、表示部１１０を点灯する。これにより、表示部１１０による、ろ過器１０の状態に関する表示がオンされる。
【００５７】
マイクロコンピュータ１０１は、表示部１１０による表示をオンすると、ステップＳ１３０により、点灯開始時刻からの経過時間である点灯時間Ｔｘをカウントするとともに、ステップＳ１４０により、点灯時間Ｔｘを所定時間Ｔ２（図６）と比較する。
【００５８】
Ｔｘ≦Ｔ２の間（Ｓ１４０のＮＯ判定時）は、ステップＳ１２０，Ｓ１３０が繰返されることにより、表示部１１０が点灯状態に維持されるとともに、時間経過に応じて点灯時間Ｔｘがカウントアップされる。
【００５９】
マイクロコンピュータ１０１は、Ｔｘ＞Ｔ２になると（Ｓ１４０のＹＥＳ判定時）、ステップＳ１５０に処理を進める。この結果、点灯予約時刻が到来してから所定時間Ｔ２が経過するまでの間、表示部１１０を点灯してろ過器１０の情報をユーザが視認可能なように表示する一方で、所定時間Ｔ２の経過以降では、表示部１１０を消灯して消費電力を削減することができる。
【００６０】
さらに、表示部１１０は、扉部１７の操作を伴うリモコン装置１００へのユーザ操作に応じても点灯されるように制御される。
【００６１】
図８は、ユーザによるリモコン装置１００の操作に対する表示制御を説明するための概念図である。
【００６２】
図８を参照して、時刻ｔｘにおいて、ユーザが操作スイッチ１３０または１３２を操作すると、これに応じて、マイクロコンピュータ１０１は、表示部１１０を点灯する。これにより、表示部１１０は、ろ過器１０の動作状態を示す情報を表示する。この結果、ユーザは、操作に応じた運転状態や設定値の変化を、表示部１１０における表示によって確認することができる。なお、図１および図２から明らかなように、リモコン装置１００の操作には、扉部１７の開放操作を伴うものである。
【００６３】
マイクロコンピュータ１０１は、ユーザ操作に応じた点灯開始から所定時間Ｔ３が経過した時刻ｔｙにおいて、表示部１１０を消灯する。これにより、時刻ｔｘ〜ｔｙの間、表示部１１０の点灯が維持される。すなわち、所定時間Ｔ３は「第２の所定時間」に対応する。
【００６４】
ここで、ユーザ操作に応じた点灯時間に相当する所定時間Ｔ３は、予約点灯時刻に応じた点灯時間に相当する所定時間Ｔ２よりも短く設定される（Ｔ２＞Ｔ３）。リモコン装置１００への操作を終了したユーザが、上述した、点灯予約時刻の入力時間刻みである一定時間Ｔ１（たとえば、３０分）よりも長く設定された所定時間Ｔ２よりも長い間、リモコン装置１００の前に留まる可能性は低いからである。
【００６５】
このように、Ｔ３＜Ｔ２とすることによって、ユーザによる操作終了後には、比較的短時間で表示部１１０を消灯することにより、表示部１１０による消費電力を抑制することができる。なお、ユーザ操作が複数回あった場合には、最後のユーザ操作からの経過時間が所定時間Ｔ３に達するまで、表示部１１０の点灯状態を維持することが好ましい。
【００６６】
図９は、図８に示した表示制御を行なうためのマイクロコンピュータ１０１による制御処理を説明するフローチャートである。
【００６７】
図９を参照して、マイクロコンピュータ１０１は、ステップＳ２００により、リモコン装置１００にユーザ操作が入力されたかどうかを判定する。たとえば、ステップＳ２００による判定は、図５におけるマイクロコンピュータ１０１への電気信号の入力有無に応じて実行できる。
【００６８】
マイクロコンピュータ１０１は、ユーザ操作がない場合（Ｓ２００のＮＯ判定時）には、ステップＳ１５０に処理を進めて、表示部１１０の消灯による表示のオフを維持する。
【００６９】
これに対して、ユーザ操作があった場合（Ｓ２００のＹＥＳ判定時）には、マイクロコンピュータ１０１は、ステップＳ２１０により、ステップＳ１２０に処理を進めて、表示部１１０を点灯して、ろ過器１０の状態の表示をオンする。すなわち、図８の時刻ｔｘにおいて、ステップＳ２００がＹＥＳ判定となって、表示部１１０が点灯される。
【００７０】
マイクロコンピュータ１０１は、表示部１１０による表示をオンすると、ステップＳ２２０により、点灯開始時刻からの経過時間である点灯時間Ｔｘをカウントするとともに、ステップＳ２３０により、点灯時間Ｔｘを所定時間Ｔ３（図８）と比較する。
【００７１】
Ｔｘ≦Ｔ３の間（Ｓ２３０のＮＯ判定時）には、ステップＳ２１０，Ｓ２２０が繰返されることにより、表示部１１０が点灯状態に維持されるとともに、時間経過に応じて点灯時間Ｔｘがカウントアップされる。
【００７２】
マイクロコンピュータ１０１は、Ｔｘ＞Ｔ３になると（Ｓ１４０のＹＥＳ判定時）、ステップＳ２４０に処理を進める。この結果、リモコン装置１００へのユーザ操作があってから所定時間Ｔ３が経過するまでの間、表示部１１０を点灯してろ過器１０の情報をユーザが視認可能なように表示することができる。一方で、所定時間Ｔ３の経過以降では、表示部１１０を消灯して消費電力を削減することができる。
【００７３】
以上説明したように、本実施の従う表示装置によれば、ユーザ（監視員）は、扉部１７が閉状態であっても、扉部１７を操作する手間を要することなく、点灯予約時刻の到来に応じて自動的に点灯された表示部１１０を外部から視認することによって、ろ過器１０の運転状態を点検することができる。特に、点灯予約時刻の到来に応じた点灯時間（所定時間Ｔ２）を、点灯予約時刻の入力時間刻み（一定時間Ｔ１）よりも長く設定することによって、点灯時間の計時誤差に起因して、点灯予約時刻に合わせてユーザが点検に訪れた際に表示部１１０が消灯状態となっていることを効果的に防止できる。
【００７４】
この結果、１日に１回ないし２回等の限られたタイミングで表示内容が視認される表示装置において、点検時のユーザ利便性向上と消費電力抑制とを両立することができる。
【００７５】
さらに、表示部１１０がリモコン装置１００へのユーザ操作に応じて点灯した場合における点灯時間（所定時間Ｔ３）を、点灯予約時刻の到来に応じた点灯時間（所定時間Ｔ２）よりも短く設定することによって、表示部１１０による消費電力を効果的に低減することができる。
【００７６】
なお、本実施の形態では、ろ過器の表示装置について説明したが、本発明の適用はこのような場合に限定されるものではない点について確認的に記載する。ただし、本発明は、上述のように、扉の開放等のユーザ操作を要することなく表示内容を視認可能に構成された、限られたタイミングで表示内容が視認される表示装置に好適である。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１０  ろ過器、１５  筐体、１７  扉部、１８  開口部、２１  ろ過ポンプ、２２  ろ過容器、２３  フロントパネル、２４  ヘアーキャッチャー、２５  塩素濃度制御ユニット、５０  出口配管（熱交換器）、５１  入口配管（熱交換器）、５２  吸込配管（浴槽）、５３  吐出配管（浴槽）、５４  逆洗排水管、５５  ドレン排出配管、５６  殺菌液注入配管、１００  リモコン装置、１０１  マイクロコンピュータ、１０２  計時部、１０５  液晶ドライバ、１１０  表示部、１２０  蓋部、１３０，１３２  操作スイッチ、１５０  点灯時刻予約部、Ｔ１  一定時間（点灯予約時刻入力刻み）、Ｔ２  所定時間（予約時点灯時間）、Ｔ３  所定時間（操作時点灯時間）、Ｔｘ  点灯時間。
【図１】
2016161804.tif 000003
【図２】
2016161804.tif 000004
【図３】
2016161804.tif 000005
【図４】
2016161804.tif 000006
【図５】
2016161804.tif 000007
【図６】
2016161804.tif 000008
【図７】
2016161804.tif 000009
【図８】
2016161804.tif 000010
【図９】
2016161804.tif 000011